(57)【要約】  本発明は受信機に応用されるダウンコンバージョン装置及びその実行方法を提供する。受信機アンテナにより受信された第１の無線周波数信号に対してダウンコンバージョンを行うダウンコンバージョン装置は、第１の無線周波数信号のパワーにより制御信号を出力する制御モジュールと、制御信号により第１の無線周波数信号に対してゲイン増幅またはパワー減衰を行って第２の無線周波数信号を得るゲイン処理モジュールと、前記第２の無線周波数信号を中間周波数にダウンコンバージョンして中間周波数信号を出力するダウンコンバージョンモジュールとを含む。本発明によれば、受信された異なる無線周波数信号のパワーにより、動的に無線周波数信号に対するゲイン増幅またはゲイン減衰を決定することができ、無線周波数信号を先に減衰して次に増幅することを回避し、受信機全体の消費電力を低減することができる。【選択図】    図１
2015534791.tif 000002
【特許請求の範囲】
【請求項１】
受信機アンテナにより受信された第１の無線周波数信号に対してダウンコンバージョンを行うダウンコンバージョン装置であって、
前記第１の無線周波数信号のパワーにより制御信号を出力するように配置される制御モジュールと、
前記制御信号により、前記第１の無線周波数信号に対してゲイン増幅またはパワー減衰を行って、第２の無線周波数信号を得るように配置されるゲイン処理モジュールと、
前記第２の無線周波数信号を中間周波数にダウンコンバージョンして、中間周波数信号を出力するように配置されるダウンコンバージョンモジュールと、
を含むことを特徴とするダウンコンバージョン装置。
【請求項２】
前記ダウンコンバージョン装置は、更に、前記第２の無線周波数信号に対してフィルタリングするように配置されるミラーイメージ周波数改善モジュールを含み、
前記ダウンコンバージョンモジュールは、前記ミラーイメージ周波数改善モジュールにより出力される信号を中間周波数にダウンコンバージョンして、中間周波数信号を出力するように更に配置される
ことを特徴とする請求項１に記載のダウンコンバージョン装置。
【請求項３】
前記ゲイン処理モジュールは、
前記制御信号により、前記第１の無線周波数信号に対してゲイン増幅を行いまたは前記第１の無線周波数信号を直接に出力するように配置されるゲイン増幅モジュールと、
前記制御信号により、前記ゲイン増幅モジュールにより出力される信号に対してパワー減衰を行うように配置されるゲイン減衰モジュールと
を含むことを請求項１または２に記載のダウンコンバージョン装置。
【請求項４】
前記制御モジュールは、前記第１の無線周波数信号のパワーがプリセットされた閾値より大きい場合、第１の制御信号を前記ゲイン処理モジュールに出力するように配置され、
前記ゲイン増幅モジュールは、前記第１の制御信号により、前記第１の無線周波数信号を前記ゲイン減衰モジュールに直接に出力するように配置され、
前記ゲイン減衰モジュールは、プリセットされた減衰量により、前記第１の無線周波数信号に対してパワー減衰を行うように配置される
ことを特徴とする請求項３に記載のダウンコンバージョン装置。
【請求項５】
前記制御モジュールは、前記第１の無線周波数信号のパワーがプリセットされた閾値より以下である場合、第２の制御信号を前記ゲイン処理モジュールに出力するように配置され、
前記ゲイン増幅モジュールは、前記第２の制御信号により、前記第１の無線周波数信号に対してプリセットされた倍数のゲイン増幅を行うように配置され、
前記ゲイン減衰モジュールは、前記ゲイン増幅モジュールにより出力される信号に対して０ｄＢのパワー減衰を行うように配置される
ことを特徴とする請求項３に記載のダウンコンバージョン装置。
【請求項６】
請求項１〜５のいずれか１項に記載の受信機アンテナにより受信された無線周波数信号に対して、ダウンコンバージョンを行うダウンコンバージョン装置を含むことを特徴とする受信機。
【請求項７】
受信機アンテナにより受信された第１の無線周波数信号に対してダウンコンバージョンを行うダウンコンバージョンの実行方法であって、
ダウンコンバージョン装置は、受信機アンテナにより受信された第１の無線周波数信号のパワーを検出することと、
前記ダウンコンバージョン装置は、前記第１の無線周波数信号のパワーにより、前記第１の無線周波数信号に対してゲイン増幅またはパワー減衰を行って、第２の無線周波数信号を得ることと、
前記ダウンコンバージョン装置は、前記第２の無線周波数信号を中間周波数にダウンコンバージョンして、中間周波数信号を出力することと、
を含むことを特徴とするダウンコンバージョンの実行方法。
【請求項８】
前記ダウンコンバージョン装置が前記第２の無線周波数信号を中間周波数にダウンコンバージョンする前に、前記方法は更に、
前記ダウンコンバージョン装置は、第２の無線周波数信号に対してフィルタリングすることを含む
ことを特徴とする請求項７に記載のダウンコンバージョンの実行方法。
【請求項９】
前記ダウンコンバージョン装置は、前記第１の無線周波数信号のパワーにより、前記第１の無線周波数信号に対してゲイン増幅またはパワー減衰を行って、第２の無線周波数信号を得ることは、
前記ダウンコンバージョン装置が前記第１の無線周波数信号のパワーがプリセットされた閾値より大きい場合、プリセットされた減衰量により、前記第１の無線周波数信号に対してパワー減衰を行って、第２の無線周波数信号を得ることを含む
ことを特徴とする請求項７または８に記載のダウンコンバージョンの実行方法。
【請求項１０】
前記ダウンコンバージョン装置は、前記第１の無線周波数信号のパワーにより、前記第１の無線周波数信号に対してゲイン増幅またはパワー減衰を行って、第２の無線周波数信号を得ることは、
前記ダウンコンバージョン装置が前記第１の無線周波数信号のパワーがプリセットされた閾値より以下である場合、前記第１の無線周波数信号に対してプリセットされた倍数のゲイン増幅を行って、第２の無線周波数信号を得ることを含む
ことを特徴とする請求項７または８に記載のダウンコンバージョンの実行方法。
【発明の詳細な説明】
【技術分野】
【０００１】
本発明は、移動通信分野に関し、受信機に応用されるダウンコンバージョン装置とその実行方法及び受信機に関する。
【背景技術】
【０００２】
通信産業の発展に伴い、製品の多重モード応用と製品がサポートしているキャリア周波数の数の増加は、すでに現在の通信技術の主なデザインターゲットになっている。マルチ通信規格を融合的に使用することに対して、無線周波数関連のハードウェアの回路設計において、装置は最も厳しい性能指標に満たさなければならない。
【０００３】
多重モードシステムにおいて、異なる規格によって受信機に対して異なるリニアリティ要求があり、多重モードの需要を満たすために、従来の受信機は最も厳しい要求に従って設計される必要がある。従来の受信機は主にゲイン減衰ユニット、ゲイン増幅ユニット及び周波数変換ゲインがあるダウンコンバージョンモジュールから構成される。多重モードシステムが、長期発展型（ＬＴＥ：Ｌｏｎｇ Ｔｅｒｍ Ｅｖｏｌｕｔｉｏｎ）とモバイル通信用グローバルシステム（ＧＳＭ：Ｇｌｏｂａｌ Ｓｙｓｔｅｍ ｏｆ Ｍｏｂｉｌｅ ｃｏｍｍｕｎｉｃａｔｉｏｎ）（ＧＳＭは、ジーエスエム  ムー  アソシエイシヨンの登録商標）など規格を同時に含む場合、ＧＳＭ規格は受信機のゲイン動的な範囲とリニアリティ指標について他の規格より高いため、それによって、受信機はＧＳＭ規格の要求に応じてデザインされる必要があり、ゲイン減衰ユニットの無線周波数信号に対する減衰がより大きい。受信機は、例えばＬＴＥなどリニアリティに対する要求が低い規格に用いられる場合、ゲイン減衰ユニットは、入力される無線周波数信号に対してゲイン減衰を行った後、またゲイン増幅ユニットを利用して減衰された無線周波数信号に対してゲイン増幅を行う必要がある。このような、先に減衰して次に増幅することはゲインの浪費を引き起こすだけでなく、受信機の消費電力も増加させる。
【発明の概要】
【発明が解決しようとする課題】
【０００４】
本発明が解決しようとする課題は、受信機の消費電力を低減することができるダウンコンバージョン装置及びその実行方法を提供することにある。
【課題を解決するための手段】
【０００５】
上記の課題を解決するために、本発明は下記のような技術的解決策を提供する。
本発明で提供される、受信機アンテナにより受信された第１の無線周波数信号に対してダウンコンバージョンを行うダウンコンバージョン装置は、前記第１の無線周波数信号のパワーにより制御信号を出力するように配置される制御モジュールと、前記制御信号により、前記第１の無線周波数信号に対してゲイン増幅またはパワー減衰を行って、第２の無線周波数信号を得るように配置されるゲイン処理モジュールと、前記第２の無線周波数信号を中間周波数にダウンコンバージョンして、中間周波数信号を出力するように配置されるダウンコンバージョンモジュールとを含む。
【０００６】
好ましくは、前記ダウンコンバージョン装置は更に、前記第２の無線周波数信号に対してフィルタリングするように配置されるミラーイメージ周波数改善モジュールを含み、前記ダウンコンバージョンモジュールは、前記ミラーイメージ周波数改善モジュールにより出力される信号を中間周波数にダウンコンバージョンして、中間周波数信号を出力するように更に配置される。
【０００７】
好ましくは、前記ゲイン処理モジュールは、前記制御信号により、前記第１の無線周波数信号に対してゲイン増幅を行いまたは前記第１の無線周波数信号を直接に出力するように配置されるゲイン増幅モジュールと、前記制御信号により、前記ゲイン増幅モジュールにより出力される信号に対してパワー減衰を行うように配置されるゲイン減衰モジュールとを含む。
【０００８】
好ましくは、前記制御モジュールは、前記第１の無線周波数信号のパワーがプリセットされた閾値より大きい場合、第１の制御信号を前記ゲイン処理モジュールに出力するように配置され、前記ゲイン増幅モジュールは、前記第１の制御信号により、前記第１の無線周波数信号を前記ゲイン減衰モジュールに直接に出力するように配置され、前記ゲイン減衰モジュールは、プリセットされた減衰量により、前記第１の無線周波数信号に対してパワー減衰を行うように配置される。
【０００９】
好ましくは、前記制御モジュールは、前記第１の無線周波数信号のパワーがプリセットされた閾値より以下である場合、第２の制御信号を前記ゲイン処理モジュールに出力するように配置され、前記ゲイン増幅モジュールは、前記第２の制御信号により、前記第１の無線周波数信号に対してプリセットされた倍数のゲイン増幅を行うするように配置され、前記ゲイン減衰モジュールは、前記ゲイン増幅モジュールにより出力される信号に対して０ｄＢのパワー減衰を行うように配置される。
【００１０】
また、本発明は、上述したような受信機アンテナにより受信された無線周波数信号に対してダウンコンバージョンするダウンコンバージョン装置を含む受信機を提供する。
【００１１】
更に、本発明は、受信機アンテナにより受信された第１の無線周波数信号に対してダウンコンバージョンを行うダウンコンバージョンの実行方法を提供する。その方法は、ダウンコンバージョン装置は、受信機アンテナにより受信された第１の無線周波数信号のパワーを検出することと、前記ダウンコンバージョン装置は、前記第１の無線周波数信号のパワーにより、前記第１の無線周波数信号に対してゲイン増幅またはパワー減衰を行って、第２の無線周波数信号を得ることと、前記ダウンコンバージョン装置は、前記第２の無線周波数信号を中間周波数にダウンコンバージョンして、中間周波数信号を出力することとを含む。
【００１２】
好ましくは、前記ダウンコンバージョン装置が前記第２の無線周波数信号を中間周波数にダウンコンバージョンする前に、前記方法は更に、前記ダウンコンバージョン装置が、第２の無線周波数信号に対してフィルタリングすることを含む。
【００１３】
好ましくは、前記ダウンコンバージョン装置は、前記第１の無線周波数信号のパワーにより、前記第１の無線周波数信号に対してゲイン増幅またはパワー減衰を行って、第２の無線周波数信号を得ることは、前記ダウンコンバージョン装置が前記第１の無線周波数信号のパワーがプリセットされた閾値より大きい場合、プリセットされた減衰量により、前記第１の無線周波数信号に対してパワー減衰を行って、第２の無線周波数信号を得ることを含む。
【００１４】
好ましくは、前記ダウンコンバージョン装置は、前記第１の無線周波数信号のパワーにより、前記第１の無線周波数信号に対してゲイン増幅またはパワー減衰を行って、第２の無線周波数信号を得ることは、前記ダウンコンバージョン装置が前記第１の無線周波数信号のパワーがプリセットされた閾値より以下である場合、前記第１の無線周波数信号に対してプリセットされた倍数のゲイン増幅を行って、第２の無線周波数信号を得ることを含む。
【発明の効果】
【００１５】
本発明は、マルチ規格システム指標を満たす場合、受信された異なる無線周波数信号のパワーにより、動的に無線周波数信号に対するゲイン増幅またはゲイン減衰を決定することができ、無線周波数信号を先に減衰して次に増幅することを回避し、受信機全体の消費電力を低減することができるという有益な効果がある。
【図面の簡単な説明】
【００１６】
【図１】図１は、本発明の一実施形態に係るダウンコンバージョン装置の構造を示す図である。
【図２】図２は、本発明の実施形態１に係るダウンコンバージョンの実行方法のフローチャートである。
【図３】図３は、本発明の実施形態２に係るダウンコンバージョンの実行方法のフローチャートである。
【図４】図４は、本発明の一実施形態に係るダウンコンバージョン装置を周波数分割二重システムと時分割二重システムに応用されることを示す図である。
【発明を実施するための形態】
【００１７】
本発明が解決しようとする課題、技術的解決策及び利点をもっと明瞭にするために、以下、図面を参照しながら具体的な一実施形態を詳しく説明する。
本発明は、従来技術の多重モードシステムにおいて、先に減衰して次に増幅することはゲインの浪費を引き起こすだけでなく受信機の消費電力を増加させるという問題に対して、受信機の消費電力を低減することができるダウンコンバージョン装置、その実行方法及び受信機を提供するものである。
【００１８】
図１は本発明の一実施形態に係るダウンコンバージョン装置の構造を示す図であり、図１に示すように、前記ダウンコンバージョン装置は、第１の無線周波数信号のパワーにより、制御信号を出力するように配置される制御モジュール１０と、制御信号により、第１の無線周波数信号に対してゲイン増幅またはパワー減衰を行って、第２の無線周波数信号を得るように配置されるゲイン処理モジュール１２と、第２の無線周波数信号を中間周波数にダウンコンバージョンして、中間周波数信号を出力するように配置されるダウンコンバージョンモジュール１４とを含む。
【００１９】
好ましくは、図１に示すように、ダウンコンバージョン装置は更に、ゲイン処理モジュール１２により出力された第２の無線周波数信号に対してフィルタリングするように配置されるミラーイメージ周波数改善モジュール１６を含み、ダウンコンバージョンモジュール１４は、ミラーイメージ周波数改善モジュール１６により出力された信号を中間周波数にダウンコンバージョンして、中間周波数信号を出力するように更に配置される。
【００２０】
図１に示すように、ゲイン処理モジュール１２は、制御信号により、第１の無線周波数信号に対してゲイン増幅を行いまたは第１の無線周波数信号を直接に出力するように配置されるゲイン増幅モジュール１１と、制御信号により、ゲイン増幅モジュール１１により出力される信号に対してパワー減衰を行うように配置されるゲイン減衰モジュール１３とを含む。
【００２１】
ここで、制御モジュール１０は、第１の無線周波数信号のパワーがプリセットされた閾値より大きい場合、第１の制御信号をゲイン処理モジュール１２に出力するように配置され、ゲイン増幅モジュール１１は、第１の制御信号により、第１の無線周波数信号をゲイン減衰モジュール１３に直接に出力するように配置され、ゲイン減衰モジュール１３は、プリセットされた減衰量により、第１の無線周波数信号に対してパワー減衰を行うように配置される。
【００２２】
制御モジュール１０は、第１の無線周波数信号のパワーがプリセットされた閾値以下である場合、第２の制御信号をゲイン処理モジュール１２に出力するように配置され、  ゲイン増幅モジュール１１は、第２の制御信号により、第１の無線周波数信号に対してプリセットされた倍数のゲイン増幅を行うように配置され、ゲイン減衰モジュール１３は、ゲイン増幅モジュール１１により出力される信号に対して０ｄＢのパワー減衰を行うように配置される。
【００２３】
前記ダウンコンバージョン装置における制御モジュール１０は、実際の応用において、装置における中央処理装置（ＣＰＵ:Ｃｅｎｔｒａｌ Ｐｒｏｃｅｓｓｉｎｇ Ｕｎｉｔ）またはデジタルシグナルプロセッサ（ＤＳＰ：Ｄｉｇｉｔａｌ Ｓｉｇｎａｌ Ｐｒｏｃｅｓｓｏｒ）またはプログラマブルゲートアレイ（ＦＰＧＡ：Ｆｉｅｌｄ−Ｐｒｏｇｒａｍｍａｂｌｅ Ｇａｔｅ Ａｒｒａｙ）により実現されることができる。前記装置におけるダウンコンバージョンモジュール１４は、実際の応用において、装置におけるダウンコンバータまたはダウンコンバージョン回路により実現されることができる。前記装置におけるゲイン処理モジュール１２のサブモジュールであるゲイン増幅モジュール１１は、実際の応用において、装置におけるゲイン増幅器またはゲイン増幅回路により実現されることができる。前記装置におけるゲイン処理モジュール１２のサブモジュールであるゲイン減衰モジュール１３は、実際の応用において、装置におけるゲイン減衰器またはゲイン減衰回路により実現されることができる。前記装置におけるミラーイメージ周波数改善モジュール１６は、実際の応用において、装置におけるフィルターまたはフィルタリング回路により実現されることができる。
【００２４】
本発明は、実施形態１として、ダウンコンバージョンの実行方法、即ち、受信機アンテナにより受信された第１の無線周波数信号に対してダウンコンバージョンを行う上記のダウンコンバージョン装置の作動方法を提供する。図２に示すように、前記方法は下記のステップを含む。
【００２５】
ステップ２０１：ダウンコンバージョン装置は、受信機アンテナにより受信された第１の無線周波数信号のパワーを検出する。
ステップ２０２：ダウンコンバージョン装置は、第１の無線周波数信号のパワーにより、第１の無線周波数信号に対してゲイン増幅またはパワー減衰を行って、第２の無線周波数信号を得る。
ステップ２０３：ダウンコンバージョン装置は、第２の無線周波数信号を中間周波数にダウンコンバージョンして、中間周波数信号を出力する。
【００２６】
好ましくは、ステップ２０３の前に更にダウンコンバージョン装置が第２の無線周波数信号に対してフィルタリングすることを含む。
【００２７】
以下、図３を参照しながら、本発明の実施形態２に係るダウンコンバージョン装置を、ＧＳＭ規格のダウンコンバージョンに応用した実行方法を説明する。その方法は、具体的には以下のステップを含む。
【００２８】
ステップ３０１：ダウンコンバージョン装置は、受信機により受信された第１の無線周波数信号のパワーの大きさを検出する。
【００２９】
ステップ３０２：ダウンコンバージョン装置は、第１の無線周波数信号のパワーがプリセットされた閾値より大きいであるかどうかを判断し、はいの場合、ステップ３０３に進み、いいえの場合、ステップ３０６に進む。ダウンコンバージョン装置が、第１の無線周波数信号のパワーがプリセットされた閾値より大きい、すなわち、受信機により受信された干渉信号がより大きく、システムに対するリニアリティ要求がより高いと判断した場合、ステップ３０３が実行される。ダウンコンバージョン装置が、第１の無線周波数信号のパワーがプリセットされた閾値以下である、すなわち、受信機に対するリニアリティ要求がより低いと判断した場合、ステップ３０６が実行される。
【００３０】
ステップ３０３：制御モジュールは、ダウンコンバージョン装置の作動モードが高リニアリティ作動モードであることを確定し、大きな干渉信号に対する受信機の耐性能力を向上させる。
【００３１】
ここで、制御モジュールは、具体的には、例えば、シリアルペリフェラルインタフェース（ＳＰＩ：Ｓｅｒｉａｌ Ｐｅｒｉｐｈｅｒａｌ Ｉｎｔｅｒｆａｃｅ）制御モジュールであってよい。制御モジュールは、ＳＰＩを介してゲイン減衰モジュールとゲイン増幅モジュールと接続し、ＳＰＩを介してスイッチを制御してゲイン増幅モジュールとゲイン減衰モジュールのバイアス回路を切替えてゲイン減衰モジュールとゲイン増幅モジュールの作動状態を制御する。
【００３２】
ステップ３０４：制御モジュールは、ゲイン増幅モジュールがバイパス状態にあり、受信された第１の無線周波数信号に対して直接通過処理を行うとともに、ゲイン増幅モジュールの電源がオフになるように制御する。
【００３３】
ステップ３０５：適当な減衰量を設定し、第１の無線周波数信号に対してパワー減衰を行う。
受信機アンテナにより受信された第１の無線周波数信号のパワーの大きさにより適当な減衰量を設定し、受信機アナログデジタル変換モジュールの不飽和を保証し、第１の無線周波数信号に対して適当にパワー減衰を行い、第１の無線周波数信号に対してパワー減衰を行って第２の無線周波数信号を得た後、第２の無線周波数信号に対してダウンコンバージョンして中間周波数信号を得る。
【００３４】
ステップ３０６：制御モジュールは、ダウンコンバージョン装置の作動モードが低消費電力作動モードであることを確定し、受信機の消費電力を節約する。
ここで、制御モジュールは、具体的には、例えば、ＳＰＩ制御モジュールであってよく、ＳＰＩ制御モジュールを介してゲイン減衰モジュールとゲイン増幅モジュールに接続され、ＳＰＩ制御モジュールを介してスイッチを制御してゲイン増幅モジュールとゲイン減衰モジュールのバイアス回路を切替えてゲイン減衰モジュールとゲイン増幅モジュールの作動状態を制御する。
【００３５】
ステップ３０７：制御モジュールは、ゲイン増幅モジュールが第１の無線周波数信号に対して増幅するように制御する。
【００３６】
ステップ３０８：制御モジュールは、ゲイン減衰モジュールの減衰量を０ｄＢに設定し、ゲイン増幅を行った第１の無線周波数信号に対して０ｄＢ減衰を行って第２の無線周波数信号を得た後、第２の無線周波数信号に対してダウンコンバージョンを行って中間周波数信号を得る。
【００３７】
好ましくは、上記のステップ３０４と３０７の後、またミラーイメージ周波数改善モジュールを用いて、ゲイン増幅を行った無線周波数信号に対してフィルタリング処理し、その後、ステップ３０５と３０８を実行する。
【００３８】
本発明の実施形態に係るダウンコンバージョン装置は、ゲイン増幅モジュールをゲイン減衰モジュールの前に置いて、図１に示すように、小さいゲインが必要な場合に、先にゲイン増幅モジュールを直接にバイパスして、次に適当にゲイン減衰モジュールを調整する。これによって、ゲインの浪費を引き起こすことなくミキサーのリニアリティ圧力を減らし、かつ、より最適な雑音係数を得て感度指数を向上することができる。
【００３９】
本装置は、低消費電力と高リニアリティとの２つの作動モードがあり、ＳＰＩを介して異なる作動モードでの切り替えを制御でき、これにより受信機の消費電力を低下させた。また、従来の受信機のゲイン動的範囲は、受信機内に使用されるパワー減衰モジュールの減衰範囲のみに限定されるが、本発明の実施形態に係るダウンコンバージョン装置を採用すれば、受信機のゲイン動的範囲は、ゲイン減衰モジュールとバイパス付けのゲイン増幅モジュールにより範囲を含むため、より大きいゲイン動的範囲を受信機に提供することができる。かつ、本発明のダウンコンバージョン装置は、複数の規格に適応かのうであり、装置の集積度を向上させ、ＰＣＢ原価と装置原価を低減させ、受信機の原価を低減させることができる。
【００４０】
本発明の一実施形態は、更に、受信機アンテナにより受信された無線周波数信号に対してダウンコンバージョンを行う上述したダウンコンバージョン装置を含む受信機を提供している。
【００４１】
図４は、本発明のダウンコンバージョン装置を、周波数分割二重（ＦＤＤ:Ｆｒｅｑｕｅｎｃｙ Ｄｉｖｉｓｉｏｎ Ｄｕｐｌｅｘｉｎｇ）システムと時分割二重（ＴＤＤ：Ｔｉｍｅ Ｄｉｖｉｓｉｏｎ Ｄｕｐｌｅｘｉｎｇ）システムに応用した場合を示す図である。図４に示すように、前記ダウンコンバージョン装置２２は、低雑音増幅モジュール２１と中間周波数アンチエイリアス抑制モジュール２３に接続され、前記中間周波数アンチエイリアス抑制モジュール２３は、中間周波数ゲインモジュール２４に接続され、前記中間周波数ゲインモジュール２４は、アナログデジタル変換モジュール２５に接続される。
【００４２】
ここで、ＦＤＤシステムは、受信機感度での雑音係数指標に対する要求がより高いので、前記ダウンコンバージョン装置２２の前に１つの大きいゲイン低雑音増幅モジュール２１を置く必要があり、全体の雑音係数が他の要因によって変化しないように保証される。小さいパワーの無線周波数信号が入力される場合、本発明の実施形態に係るダウンコンバージョン装置２２は、最大ゲイン状態と低消費電力作動モードで作動する。大きいパワー干渉信号が入力される場合、本発明の実施形態に係るダウンコンバージョン装置２２におけるゲイン増幅モジュールはバイパスされて、信号の減衰と周波数変換のみを行う。ＧＳＭ規格において、小さい信号が入力される場合に当該ダウンコンバージョン装置は低消費電力モードにあり、大きな相互変調信号が入力される場合に当該ダウンコンバージョン装置は高リニアリティ作動モードにある。ＬＴＥとＵＭＴＳ規格において、前記ダウンコンバージョン装置は低消費電力作動モードで作動し、これにより、システム指標要求を満たし、リニアリティと消費電力を節約することができる。
【００４３】
ダウンコンバージョン装置２２が異なるシステムに応用される場合、ミラーイメージ周波数抑制モジュールを柔軟に使用してリンクデザインを行って要求を満たすことができる。ミラーイメージ周波数抑制モジュールは図１の位置に置いても良く、前記ダウンコンバージョン装置の前に置いても良い。無線周波数信号がダウンコンバージョン装置に入る前に、無線周波数信号をフィルタリングする。
【００４４】
ＴＤＤシステムにおいて前記ダウンコンバージョン装置は２つの応用方式がある。第１種：ＴＤＤシステムは、ゲインと雑音係数指標に対する要求がより低いので、前記ダウンコンバージョン装置２２の前に１つのシングルステージ１５ｄＢであるゲインの低雑音増幅器（ＬＮＡ:Ｌｏｗ Ｎｏｉｓｅ Ａｍｐｌｉｆｉｅｒ）を置くことができる。小さいパワー無線周波数信号が入力される場合、前記ダウンコンバージョン装置２２は最大ゲイン状態で作動し、かつ前記ダウンコンバージョン装置２２のダウンコンバージョンモジュールは低消費電力モードで作動し、システム要求を満たすことができる。大きいパワー無線周波数信号が入力される場合、ＴＤＤがシステムのリニアリティ指標に対して要求も高くなく、前記ダウンコンバージョン装置のゲイン増幅モジュールはバイパスされ、かつ前記ダウンコンバージョン装置はずっと低消費電力モードで作動し、これにより要求を満たすことができる。
【００４５】
第２種：前記ダウンコンバージョン装置２２の前に依然に１つの３０ｄＢゲインのＬＮＡを置いたが、前記ダウンコンバージョン装置２２におけるゲイン増幅モジュールはずっとバイパスされる。小さいパワー無線周波数信号が入力される場合、前記ダウンコンバージョン装置２２のゲイン増幅モジュールはバイパスされ、ダウンコンバージョンモジュールは低消費電力モードで作動する。大きいパワー無線周波数信号が入力される場合、前記ダウンコンバージョン装置のゲイン増幅モジュールはバイパスされ、ダウンコンバージョンモジュールは低消費電力モードにで作動し、ゲイン減衰モジュールのみによりゲインを調整することができる。
【００４６】
本発明の実施形態に係るダウンコンバージョン装置はＴＤＤとＦＤＤ規格に適用され、ＴＤＤとＦＤＤプラットフォーム共用の需要を満たすことができる。本発明の実施形態に係るダウンコンバージョン装置はＦＤＤ規格において、ゲイン増幅モジュールのバイパス機能を増加し、受信機のより良いリニアリティ指標が必要な場合、ゲイン増幅モジュールをバイパスすることができ、ゲイン増幅器のリニアリティ指標を低減して消費電力を節約するとともに、多規格要求を満たした。本発明の実施形態は集積技術によって装置の集積度を向上させるとともに、ＰＣＢ原価と装置原価を節約し、デザインの複雑度を減らし、ある程度で受送信機の原価利点を向上させて、製品の信頼度を向上させた。
【００４７】
なお、この明細書に記載された様々な機能部品はすべてモジュールと称されて、その実行方式の独立性を特に強調する。
【００４８】
本発明の実施形態として、各モジュールはソフトウェアにより実現されて各種のタイプのプロセッサにより容易に実行される。例えば、１つの識別子の実行可能なコードモジュールは、計算機命令の１つまたは複数の物理またはロジックブロックを含むことができ、例えば、それはオブジェクト（object）、プロセス（process）またはファンクション（function）として構築されてもよい。けれども、識別されたモジュールの実行可能なコードは、物理的に一体に形成される必要がなく、異なる物理に記憶される異なる命令を含むことができる。これらの命令はロジック的に組み合わせられ、モジュールを構成して、当該モジュールの所定の目的を実現する。
【００４９】
実際に、実行可能なコードモジュールは単一の命令または様々な命令であってもよく、かつ、複数の異なるコードセクション、異なるプログラム及び複数のメモリデバイスを渡って配布されてもよい。同様に、操作データはモジュール内に識別されることができ、かつ、いかなる適当な形式に従って実現できかついかなる適当なタイプのデータ構造内に構成されることができる。前記操作データはシングルデータセットとして収集され、または異なる位置（異なる記憶設備も含まれてもよい）に配布されてもよく、かつ、少なくとも一部は電子信号のみとしてシステムまたはネットワークに存在することができる。
【００５０】
モジュールはソフトウェアにより実現される場合、従来のハードウエア工程のレベルを鑑み、ソフトウェアにより実現されるモジュールを採用して、原価を考慮しない状況で、当業者は、対応するハードウエア回路を確立して対応する機能を実現でき、前記ハードウエア回路は通常の超大規模集積（ＶＬＳＩ）回路またはゲートアレイ及びロジックチップ、トランジスタなどの従来半導体または他の独立の素子であってもよい。モジュールはプログラマブルハードウェアデバイス、例えばフィールドプログラマブルゲートアレイ、プログラマブルアレイロジック、プログラマブルロジックデバイスなどを採用して実現できる。
【００５１】
本発明の各方法に係る実施形態において、前記各ステップの番号は各ステップの前後順序を制限することに使用できず、当業者にとって、進歩性に値する労働を要しない前提で、各ステップの前後変化も本発明の保護範囲内に属する。
【００５２】
以上は、本発明の最適的な実施形態に過ぎなく、本分野の当業者にとって、本発明の原理から逸脱することのない前提で、若干の改修、潤色を行うことができ、これらの改修、潤色が、本発明の保護範囲以内に含まれるべきである。
【産業上の利用可能性】
【００５３】
本発明の実施形態は、受信機アンテナにより受信された第１の無線周波数信号のパワーを検出することにより、前記第１の無線周波数信号のパワーに基づいて前記第１の無線周波数信号に対してゲイン増幅またはパワー減衰を行って、第２の無線周波数信号を得、前記第２の無線周波数信号を中間周波数にダウンコンバージョンして、中間周波数信号を出力する。それによって、マルチ規格システム指標の場合、受信された異なる無線周波数信号のパワーにより、動的に無線周波数信号に対するゲイン増幅またはゲイン減衰を決定し、無線周波数信号を先に減衰して次に増幅することを回避し、受信機全体の消費電力を低減することができる。
【図１】
2015534791.tif 000003
【図２】
2015534791.tif 000004
【図３】
2015534791.tif 000005
【図４】
2015534791.tif 000006
【国際調査報告】
2015534791.tif 000007
2015534791.tif 000008
2015534791.tif 000009
2015534791.tif 000010
2015534791.tif 000011
2015534791.tif 000012